(57)【要約】【課題】多数の連写画像の中から所望の画像を容易に検索できることを可能にすること。【解決手段】展開表示モードに設定されて複数の連写画像データを個々の連写画像データ毎に展開して液晶ディスプレイ１１の表示画面上に一覧表示する際、画像サイズ調整部３３−２によって複数の連写画像データの数量すなわち連写画像の枚数に応じて複数の連写画像データの各画像データの縦横方向の表示サイズを調整する。【選択図】      図１
2009296380.tif 000002
【特許請求の範囲】
【請求項１】
１組に纏められている連続する一連の少なくとも２つの画像データを１つずつに展開して表示画面上に一覧表示する画像表示装置において、
前記一連の各画像データを前記表示画面上に一覧表示する際、前記一連の各画像データの数量に応じて前記一連の各画像データの表示サイズを調整する画像サイズ調整手段、
を具備することを特徴とする画像表示装置。
【請求項２】
複数の画像データを記憶する記憶手段と、
前記記憶手段に記憶されている前記各画像データを表示画面上に表示する表示手段と、
前記記憶手段に記憶されている前記複数の画像データのうち連続する一連の少なくとも２つの画像データ中における代表の前記画像データを前記表示画面上に表示する第１のモードと、前記複数の画像データのそれぞれを前記表示画面上に一覧表示する第２のモードとを切り替える表示モード切替手段と、
前記第２のモードにより前記一連の各画像データを前記表示画面上に一覧表示する際、前記一連の各画像データの数量に応じて前記一連の各画像データの表示サイズを調整する画像サイズ調整手段と、
を具備することを特徴とする画像表示装置。
【請求項３】
前記画像サイズ調整手段は、前記一連の各画像データの表示サイズを調整し、前記一連の各画像データの全てを同時に前記表示画面上に一覧表示することを特徴とする請求項１又は２記載の画像表示装置。
【請求項４】
前記画像サイズ調整手段は、前記一連の各画像データの数量を判定するための複数の判定用連写数量を予め設定し、これら判定用連写数量と前記一連の各画像データの数量とを比較してその結果に基づいて前記一連の各画像データを前記表示画面上に一覧表示するための分割数を決定することを特徴とする請求項１又は２記載の画像表示装置。
【請求項５】
前記画像サイズ調整手段は、前記一連の各画像データの数量の平方根を求め、この平方根の値の少数点以下第１位の数値を切り上げた値に基づいて前記表示画面上に一覧表示する前記一連の各画像データの表示サイズを調整することを特徴とする請求項１又は２記載の画像表示装置。
【請求項６】
前記画像サイズ調整手段は、前記一連の各画像データの数量が所定の数量よりも少ない又は同一であれば、前記一連の各画像データの全てを同時に前記表示画面上に一覧表示するように前記一連の各画像データの表示サイズを調整し、
前記一連の各画像データの数量が所定の数量よりも多ければ、前記一連の各画像データのうち一部である少なくとも１つの前記画像データを同時に前記表示画面上に一覧表示するように前記一連の各画像データの表示サイズを調整する、
ことを特徴とする請求項１又は２記載の画像表示装置。
【請求項７】
前記画像サイズ調整手段は、前記一連の各画像データの数量が所定の数量よりも少ない又は同一であれば、前記一連の各画像データの数量の平方根を求め、この平方根の値の少数点以下第１位の数値を切り上げた値に基づいて前記表示画面上に一覧表示する前記一連の各画像データの表示サイズを調整し、
前記一連の各画像データの数量が所定の数量よりも多ければ、前記一連の各画像データのうち一部である少なくとも１つの前記画像データを同時に前記表示画面上に一覧表示するように前記一連の各画像データの表示サイズを調整する、
ことを特徴とする請求項１又は２記載の画像表示装置。
【請求項８】
前記画像サイズ調整手段は、前記一連の各画像データの数量が所定の数量よりも多ければ、前記表示画面の縦横方向の各長さを所定の整数で除算した各長さと等しいサイズに前記一連の各画像データの表示サイズを調整することを特徴とする請求項６又は７記載の画像表示装置。
【請求項９】
前記第２のモードにより前記一連の各画像データを前記表示画面上に一覧表示する際、
前記画像サイズ調整手段は、前記表示画面上の縦横方向にそれぞれ同一数量ずつ前記各画像データを配列して表示する第１の表示と、
前記表示画面上の前記縦方向に所定の数量前記各画像データを配列し、かつ前記横方向に前記所定の数量よりも少ない数量前記各画像データを配列して表示する第２の表示と、
又は前記表示画面上の前記縦方向に前記所定の数量前記各画像データを配列し、かつ前記横方向に前記所定の数量よりも少ない数量前記各画像データを配列して表示する第３の表示と、
のうちいずれか１つの表示を行うことを特徴とする請求項１又は２記載の画像表示装置。
【請求項１０】
連写により連続する一連の少なくとも２つの画像データを取得する機能を有する撮像装置において、
請求項１乃至９のうちいずれか１項記載の画像表示装置を具備したことを特徴とする撮像装置。
【発明の詳細な説明】
【技術分野】
【０００１】
本発明は、例えばデジタルカメラ等の連写機能を備えた撮像装置に係り、連写により取得された連続する一連の複数の画像データを１コマ表示又はインデックス表示する画像表示装置及びこれを備えた撮像装置に関する。
【背景技術】
【０００２】
近年、速い連写速度を有し、１度の連写によって多数の画像を撮影することを可能とするデジタルカメラ等の撮像装置がある。連写による撮影は、通常の１コマ毎の撮影により記録される静止画像と同程度の解像度の連続した撮像画像を記録媒体に記録する。このような連写機能を備えた撮像装置は、連写によって取得された大量の画像データを表示画面上に表示して閲覧できるようになっている。画像データの閲覧を簡単に行うために撮像装置は、連写により取得された一連の複数の画像データを１組に纏めた画像データ（以下、連写画像データと称する）として扱っている。そして、画像データの閲覧を行うときは、組み画像データ中における代表の画像データを表示する第１のモード（以下、折り畳み表示モードと称する）、又は複数の画像データのそれぞれを一覧表示する第２のモード（以下、展開表示モードと称する）に切り替えている。なお、電子カメラ等での連写による撮影により得られた連写画像を表示する技術は、例えば特許文献１に開示されている。
【０００３】
画像データの閲覧を行うときの表示例について説明すると、図１８は１コマ表示と通常のインデックス表示との切り替えを示す。撮像装置には、表示の切り替えを行うための例えばワイド／テレボタン１が設けられている。通常の単写によって取得された１つ画像Ｄ９を表示画面２上に表示する１コマ表示を行っている状態に、ワイド／テレボタン１のワイドＷ側が操作されると、複数の画像データの画像Ｄ１〜Ｄ９が表示画面２上にインデックス表示される。このインデックス表示では、１コマ表示していた画像Ｄ９に枠３が表示される。又、各画像Ｄ１〜Ｄ９のうち各画像Ｄ５、Ｄ６、Ｄ８は、連写画像であって、それぞれ連写マーク４が付された折り畳み表示モードで表示される。一方、通常のインデックス表示を行っている状態に、ワイド／テレボタン１のテレＴ側が操作されると、例えば枠３によって選択された画像Ｄ９が１コマ表示される。
【０００４】
図１９は連写画像の１コマ表示と通常インデックス表示と連写画像のインデックス表示（以下、連写インデックス表示と称する）との切り替えを示す。撮像装置には、連写インデックス表示に切り替えるための例えば展開ボタン５が設けられている。先ず、折り畳み表示モードで連写画像Ｄ５を代表する１枚の代表画像が表示画面２上に１コマ表示されている。この状態に、ワイド／テレボタン１のワイドＷ側が操作されると、上記同様に、複数の画像データの画像Ｄ１〜Ｄ９が表示画面１上にインデックス表示される。  
一方、通常のインデックス表示を行っている状態に、ワイド／テレボタン１のテレＴ側が操作されると、例えば枠３によって選択された連写画像Ｄ５の代表画像が１コマ表示される。又、連写画像Ｄ５を代表する１枚の代表画像が表示画面２上に１コマ表示されている状態に、展開ボタン５が操作されると、連写画像Ｄ５を形成する複数の画像、例えば７枚の画像Ｄ５−１〜Ｄ５−７を表示画面２上に展開して連写インデックス表示される。
【０００５】
図２０は連写画像の１コマ表示と通常インデックス表示と連写画像中で選択した１コマ表示（連写展開表示と称する）と連写インデックス表示との切り替えを示す。先ず、折り畳み表示モードで連写画像Ｄ５を代表する１枚の代表画像が表示画面２上に１コマ表示されている。この状態に、ワイド／テレボタン１のワイドＷ側が操作されると、上記同様に、複数の画像データの画像Ｄ１〜Ｄ９が表示画面１上に通常インデックス表示される。一方、通常インデックス表示を行っている状態に、ワイド／テレボタン１のテレＴ側が操作されると、例えば枠３によって選択された連写画像Ｄ５の代表画像が１コマ表示される。  
又、連写画像Ｄ５を代表する１枚の代表画像が表示画面２上に１コマ表示されている状態に、展開ボタン５が操作されると、展開表示モードとなり、連写画像Ｄ５を形成する複数の画像、例えば７枚の画像Ｄ５−１〜Ｄ５−７のうちいずれか１枚の画像、例えば画像Ｄ５−１が１コマだけ選択された表示される。この状態で、展開ボタン５が連続して操作されると、表示画面２上には、各画像Ｄ５−１〜Ｄ５−７が１コマずつ切り替わって表示される。
【０００６】
さらに、通常インデックス表示を行っている状態に、展開ボタン５が操作されると、展開表示モードとなり、例えば枠３によって選択された連写画像Ｄ５を形成する複数の画像、例えば７枚の画像Ｄ５−１〜Ｄ５−７が連写インデックス表示される。  
又、連写展開表示されている状態に、ワイド／テレボタン１のワイドＷ側が操作されると、連写画像Ｄ５を形成する複数の画像、例えば７枚の画像Ｄ５−１〜Ｄ５−７が連写インデックス表示される。この連写インデックス表示されている状態に、ワイド／テレボタン１のテレＴ側が操作されると、連写画像Ｄ５を形成する複数の画像、例えば７枚の画像Ｄ５−１〜Ｄ５−７ののうちいずれか１枚の画像、例えば画像Ｄ５−１が１コマだけ選択された表示される。
【特許文献１】特開２００２−４４４９９号公報
【発明の開示】
【発明が解決しようとする課題】
【０００７】
上記撮像装置では、一度に複数の画像を閲覧するためにインデックス表示しているが、このインデックス表示では、表示画面２上に表示する画像の枚数を予め設定された枚数、例えば４枚、９枚、１６枚に設定している。このため、画像の枚数が多いと、インデックス表示の画面も複数ページになってしまう。例えば、予め設定された枚数、例えば４枚で、画像の枚数が１０枚であれば、インデックス表示の画面は、３ページになる。
【０００８】
連写は、１度に連続して複数の画像を撮影することにより決定的なシャッターチャンスを逃さずに捉えるといった使用が一般的である。連写によって取得された複数の連写画像を閲覧するときには、一連の連写画像の中から決定的なシャッターチャンスの１枚の連写画像を選び出す操作を行うことが多くなる。このため、複数の連写画像を閲覧では、連写によって１度に取得された複数の画像の殆ど全てを表示画面２上に一覧して表示することが望まれる。
【０００９】
本発明の目的は、多数の連写画像の中から所望の画像を容易に検索できることを可能にする画像表示装置及び撮像装置を提供することにある。
【課題を解決するための手段】
【００１０】
本発明の主要な局面に係る画像表示装置は、１組に纏められている連続する一連の少なくとも２つの画像データを１つずつに展開して表示画面上に一覧表示する画像表示装置において、一連の各画像データを前記表示画面上に一覧表示する際、一連の各画像データの数量に応じて一連の各画像データの表示サイズを調整する画像サイズ調整手段を具備する。
【００１１】
本発明の主要な局面に係る画像表示装置は、複数の画像データを記憶する記憶手段と、記憶手段に記憶されている各画像データを表示画面上に表示する表示手段と、記憶手段に記憶されている複数の画像データのうち連続する一連の少なくとも２つの画像データ中における代表の画像データを表示画面上に表示する第１のモードと、複数の画像データのそれぞれを表示画面上に一覧表示する第２のモードとを切り替える表示モード切替手段と、第２のモードにより一連の各画像データを表示画面上に一覧表示する際、一連の各画像データの数量に応じて一連の各画像データの表示サイズを調整する画像サイズ調整手段とを具備する。
【００１２】
本発明の主要な局面に係る撮像装置は、連写により連続する一連の少なくとも２つの画像データを取得する機能を有する撮像装置もので、上記画像表示装置を具備する。
【発明の効果】
【００１３】
本発明によれば、多数の連写画像の中から所望の画像を容易に検索できることを可能にする画像表示装置及び撮像装置を提供できる。
【発明を実施するための最良の形態】
【００１４】
以下、本発明の一実施の形態について図面を参照して説明する。  
図１は画像表示装置を適用したデジタルカメラ等の連写機能を備えた撮像装置の背面側の外観図を示す。カメラ本体１０の背面には、液晶ディスプレイ１１が設けられている。又、カメラ本体１０の背面には、ワイド／テレボタン１と、展開ボタン５と、モードダイアル１２と、メニューボタン１３と、ＤＩＳＰボタン１４と、消去ボタン１５と、クイック再生ボタン１６と、上ボタン１７と、下ボタン１８と、左ボタン１９と、右ボタン２０と、ＯＫボタン２１とが設けられている。さらに、カメラ本体１０の上面には、パワースイッチ（パワーＳＷ）２２と、レリーズスイッチ（レリーズＳＷ）２３とが設けられている。
【００１５】
図２は同装置内の機能ブロック図を示す。レンズ系３０は、例えば焦点調整用の光学系や、開口量を調整するための絞り等を有する。このレンズ系３０の光軸上には、撮像素子３１が設けられている。この撮像素子３１は、レンズ系３０によって結像された被写体の光像を光電変換して画像信号を出力する。この撮像素子３１は、例えばＣＣＤ又はＣＭＯＳにより形成される。この撮像素子３１の出力端子は、撮像回路３２に接続されている。この撮像回路３２は、撮像素子３１から出力された画像信号を入力し、この画像信号に対して液晶ディスプレイ１１に例えばライブビュー表示のための画素間引き処理や、拡大表示のための切り出し処理等の画像処理を行う。
【００１６】
装置内には、ＣＰＵ３３が搭載されている。このＣＰＵ３３には、バス３４を介して撮像回路３２と、ＡＥ回路３５と、ＡＦ回路３６と、画像処理回路３７と、着脱メモリ３８とが接続されている。又、ＣＰＵ３３には、パワーＳＷ２２と、操作端群３９と、表示駆動回路４０、内蔵メモリ４１とが接続されている。このうち表示駆動回路４１には、液晶ディスプレイ１１が接続されている。
【００１７】
ＡＥ回路３５は、撮影時の露光量を自動的に調節する。ＡＦ回路３６は、撮影時のフォーカスを自動的に調節する。  
画像処理回路３７は、例えば撮像回路３２により処理されたデジタル画像データを受け取り、このデジタル画像データに対してデジタル的増幅（デジタルゲイン調整処理）、色補正、ガンマ（γ）補正、コントラスト補正、ライブビュー表示用の画像生成等の各種の画像処理を行う。又、画像処理回路３７は、レリーズＳＷ２３が全押し操作されたときの例えば単写時に取得されたデジタル画像データに対してデジタルゲイン調整処理、色補正、γ補正、コントラスト補正等の各種の画像処理を行って１枚の画像データを取得する。又、画像処理回路３７は、レリーズＳＷ２３が全押し操作されたときの例えば連写時に取得された複数のデジタル画像データに対してそれぞれデジタルゲイン調整処理、色補正、γ補正、コントラスト補正等の各種の画像処理を行って複数の連写画像データを取得する。
【００１８】
着脱メモリ３８は、本装置に対して着脱可能で、バス３４に対して電気的に接続、切り離し可能である。この着脱メモリ３８は、例えばＸＤピンチャーカード（登録商標）、コンパクトフラッシュ（登録商標）、ＳＤメモリカード（登録商標）、又はメモリステック（登録商標）等の書き換え可能な記録媒体である。この着脱メモリ３８には、例えば画像処理回路３７により画像処理された単写の画像データや複数の連写画像データが記憶される。  
操作端群３９は、上記カメラ本体１０の背面に設けられている各種スイッチ、すなわちワイド／テレボタン１と、展開ボタン５と、モードダイアル１２と、メニューボタン１３と、ＤＩＳＰボタン１４と、消去ボタン１５と、クイック再生ボタン１６と、上ボタン１７と、下ボタン１８と、左ボタン１９と、右ボタン２０と、ＯＫボタン２１と、レリーズスイッチ（レリーズＳＷ）２３とを含む。
【００１９】
表示駆動回路４０は、液晶ディスプレイ１１を駆動し、例えば画像処理回路３７により画像処理された単写の画像データや複数の連写画像データを例えば１コマ表示、通常インデックス表示、連写インデックス表示などを液晶ディスプレイ１１に表示する。  
内蔵メモリ４１には、本装置を動作制御するための各種プログラム、例えば、図３に示すカメラ基本動作フローチャートに従ったカメラ基本動作プログラムと、図４に示す再生モードフローチャートに従った再生モードプログラムと、図５に示す１コマ送り／戻しフローチャートに従った１コマ送り／戻しプログラムと、図６に示す第１の連写展開表示フローチャートに従った第１の連写展開表示プログラムと、図７に示す第２の連写展開表示フローチャートに従った第２の連写展開表示プログラムと、図８に示す第３の連写展開表示フローチャートに従った第３の連写展開表示プログラムとが予め格納されている。この内蔵メモリ４１は、例えば画像処理回路３７により画像処理された単写の画像データや複数の連写画像データ等を記憶してもよい。
【００２０】
ＣＰＵ３３は、内蔵メモリ４１に予め格納されている上記各種プログラムを実行することにより例えば図９に示すような表示モード切替部３３−１と、画像サイズ調整部３３−２とを有する。  
表示モード切替部３３−１は、着脱メモリ３８又は内蔵メモリ４１に記憶されている複数の画像データのうち連続する一連の複数の連写画像データ中における代表の画像データを液晶ディスプレイ１１の表示画面上に表示する折り畳み表示モードと、複数の画像データのそれぞれを液晶ディスプレイ１１の表示画面上に一覧表示する展開表示モードとを切り替える。
【００２１】
画像サイズ調整部３３−２は、展開表示モードに設定されて複数の連写画像データを個々の連写画像データ毎に展開して液晶ディスプレイ１１の表示画面上に一覧表示する際、複数の連写画像データの数量すなわち連写画像の枚数に応じて複数の連写画像データの各画像データの縦横方向の表示サイズ（画像サイズ）を調整する。当該連写画像データの表示サイズの調整は、次の通りである。  
第１に、画像サイズ調整部３３−２は、例えば、連写画像の枚数を判定するための予め複数段階の判定用連写枚数、例えば５枚、１０枚、１７枚等を設定し、これら判定用連写枚数と連写画像の枚数とを比較してその結果に基づいて複数の連写画像データの全てを液晶ディスプレイ１１の表示画面上に一覧表示するための当該表示画面上の分割数を決定する。例えば、連写画像の枚数が５枚以下であれば、液晶ディスプレイ１１の表示画面上の分割数を「４」に決定する。  
しかるに、連写画像の枚数が例えば５枚以下であれば、画像サイズ調整部３３−２は、液晶ディスプレイ１１の表示画面上の分割数を「４」に決定し、この分割数「４」に応じた画像サイズで複数の連写画像データの各画像データを液晶ディスプレイ１１の表示画面上に４分割表示する。
【００２２】
この場合、画像サイズ調整部３３−２は、複数の連写画像データの各画像データの表示サイズを調整して液晶ディスプレイ１１の表示画面上に一覧表示するとき、複数の連写画像データの全てを同時に液晶ディスプレイ１１の表示画面上に表示する。
【００２３】
第２に、画像サイズ調整部３３−２は、下記式（１）に示すように複数の連写画像データの枚数Ｎ１の平方根Ｎ２を算出し、
【数１】
2009296380.tif 000003
【００２４】
この平方根の値Ｎ２の少数の第１位を切り上げた値に基づいて液晶ディスプレイ１１の表示画面上に一覧表示する複数の連写画像データの各画像データの表示サイズを調整する。
【００２５】
第３に、画像サイズ調整部３３−２は、複数の連写画像データの枚数が所定の数量、例えば１００枚よりも少ない又は同一であれば、複数の連写画像データの全てを同時に液晶ディスプレイ１１の表示画面上に一覧表示するように複数の連写画像データの表示サイズを調整する。  
一方、画像サイズ調整部３３−２は、複数の連写画像の枚数が所定の数量、例えば１００枚よりも多ければ、複数の連写画像のうち一部、例えば所定の数量１００枚を超えた枚数分の連写画像を同時に液晶ディスプレイ１１の表示画面上に一覧表示するように当該所定の数量１００枚を超えた枚数分の連写画像データの表示サイズを調整する。
【００２６】
第４に、画像サイズ調整部３３−２は、複数の連写画像の枚数が所定の数量、例えば１００枚よりも少ない又は同一であれば、上記式（１）に従って複数の連写画像の枚数Ｎ１の平方根Ｎ２を算出し、この平方根の値Ｎ２の少数の第１位を切り上げた値に基づいて液晶ディスプレイ１１の表示画面上に一覧表示する複数の連写画像データの各画像データの表示サイズを調整する。  
この場合、画像サイズ調整部３３−２は、複数の連写画像の枚数が所定の数量、例えば１００枚よりも多ければ、当該１００枚を超えた枚数分の連写画像データを同時に液晶ディスプレイ１１の表示画面上に一覧表示するように当該所定の数量１００枚を超えた枚数分の連写画像データの表示サイズを調整する。  
上記第３と第４の連写画像データの表示サイズの調整の場合、複数の連写画像の枚数が所定の数量、例えば１００枚よりも多ければ、画像サイズ調整部３３−２は、液晶ディスプレイ１１の表示画面の縦横方向の各長さを所定の整数で除算した各長さと等しい表示サイズに連写画像データの各画像データの表示サイズを調整する。
【００２７】
第５に、画像サイズ調整部３３−２は、展開表示モードにより複数の連写画像データを液晶ディスプレイ１１の表示画面上に一覧表示する際、液晶ディスプレイ１１の表示画面上の縦横方向にそれぞれ同一数量ずつ複数の連写画像データを配列して表示する第１の表示を行う。すなわち画像サイズ調整部３３−２は、液晶ディスプレイ１１の表示画面上の縦方向にＮ個、横方向にもＮ個ずつの複数個の複数の連写画像データを配列（Ｎ×Ｎ）して表示する。この場合、Ｎは任意の整数である。これにより、液晶ディスプレイ１１の表示画面上には、縦横方向に例えばＮ×Ｎ＝３×３、４×４等の複数の連写画像データが配列されて表示される。  
又、画像サイズ調整部３３−２は、展開表示モードにより複数の連写画像データを液晶ディスプレイ１１の表示画面上に一覧表示する際、液晶ディスプレイ１１の表示画面上の縦方向に縦方向に所定の数量の複数の連射画像データを配列し、かつ横方向に所定の数量よりも少ない数量の複数の連射画像データを配列して表示する第２の表示を行う。すなわち画像サイズ調整部３３−２は、液晶ディスプレイ１１の表示画面上の縦方向にＮ個、横方向に当該縦方向のＮ個よりも任意の数量Ｋだけ少ないＭ個の複数の連写画像データを配列（Ｎ×Ｍ）して表示する。この場合、Ｋ、Ｍは任意の整数であり、ＫはＮ、Ｍよりも小さい。これにより、液晶ディスプレイ１１の表示画面上には、縦横方向に例えばＮ×Ｍ＝３×２、４×２、５×３等の複数の連写画像データが配列されて表示される。  
又、画像サイズ調整部３３−２は、展開表示モードにより複数の連写画像データを液晶ディスプレイ１１の表示画面上に一覧表示する際、液晶ディスプレイ１１の表示画面上の縦方向に所定の数量の複数の連射画像データを配列し、かつ横方向に所定の数量よりも少ない数量の複数の連写画像データを配列して表示する第３の表示を行う。
【００２８】
すなわち画像サイズ調整部３３−２は、液晶ディスプレイ１１の表示画面上の縦方向にＮ個よりも任意の数量Ｋだけ少ないＭ個、横方向にＮ個の複数の連写画像データを配列（Ｍ×Ｎ）して表示する。これにより、液晶ディスプレイ１１の表示画面上には、縦横方向に例えばＭ×Ｎ＝２×３、４×５、５×７等の複数の連写画像データが配列されて表示される。
【００２９】
なお、本装置は、電池４２と電源回路４３とを備える。電池４２は、例えば充放電可能である。電源回路４３は、電池４２からの電力を本装置内の各セクション、すなわち、撮像素子３１、撮像回路３２、ＣＰＵ３３、ＡＥ回路３５、ＡＦ回路３６、画像処理回路３７、着脱メモリ３８、表示駆動回路４０、内蔵メモリ４１、液晶ディスプレイ１１に供給する。
【００３０】
次に、上記の如く構成された装置の動作について説明する。  
先ず、ＣＰＵ３３は、図３に示すカメラ基本動作フローチャートに従い、パワーＳＷ２２が操作されてパワーオンになると、ステップＳ１における各種設定の後、ステップＳ２において、パワーＳＷ２２が再度操作されてパワーオフになったか否かを判断する。この判断の結果、パワーＳＷ２２が再度操作されると、パワーオフになる。
【００３１】
パワーＳＷ２２が再度操作されなければ、ＣＰＵ３３は、ステップＳ３において、例えばモードダイアル１２等の操作によって撮影モード又は再生モードのカメラモードが選択されたか否かを判断する。この判断の結果、撮影モードに選択されると、ＣＰＵ３３は、ステップＳ４に移り、撮影モードに設定し、例えば１コマ毎の単写の撮影又は連写によって多数の画像を撮影する連写の撮影等の動作制御を行う。この後、ＣＰＵ３３は、ステップＳ５において、撮影モードを終了するか否かを判断する。  
一方、カメラモードの判断の結果、再生モードに選択されると、ＣＰＵ３３は、ステップＳ６に移り、再生モードに設定し、後述する図４に示す再生モードフローチャートを実行する。この後、ＣＰＵ３３は、ステップＳ７において、再生モードを終了するか否かを判断する。
【００３２】
次に、再生モードの動作について図４に示す再生モードフローチャートに従って説明する。  
ＣＰＵ３３は、再生モードに設定されると、ステップＳ１０において、最新の画像を指定し、次のステップＳ１１において、指定された画像データを液晶ディスプレイ１１に１コマ表示する。例えば、最新の画像が上記図１８に示すように通常の単写によって取得された１つ画像Ｄ９であれば、ＣＰＵ３３は、当該画像Ｄ９を例えば着脱メモリ３８から読み出し、表示駆動回路４０を通して液晶ディスプレイ１１の表示画面上に１コマ表示する。又、最新の画像が上記図１９に示すように連写によって取得された連写画像Ｄ５であれば、ＣＰＵ３３は、当該連写画像Ｄ５を代表する１枚の代表画像を例えば着脱メモリ３８から読み出し、表示駆動回路４０を通して液晶ディスプレイ１１の表示画面上に１コマ表示する。
【００３３】
次に、ＣＰＵ３３は、ステップＳ１２において、再生モードを終了するか否かを判断する。再生モードの終了でなければ、ＣＰＵ３３は、ステップＳ１３に移り、上記指定された最新の画像が連写画像であるか否かを判断する。この判断の結果、最新の画像が例えば連写画像Ｄ５が選択されて連写画像であることを判断すると、ＣＰＵ３３は、ステップＳ１４に移り、連写画像Ｄ５の表示モードが折り畳み表示モード又は展開表示モードであるかを判断する。  
ここで、液晶ディスプレイ１１の表示画面上の表示が例えば上記図２０に示すように連写画像Ｄ５を展開して例えば７枚の画像Ｄ５−１〜Ｄ５−７を表示した連写インデックス表示であれば、ＣＰＵ３３は、ステップＳ１５に移り、例えばワイド／テレボタン１又はモードダイアル１２が操作されることにより折り畳み表示モードの指示を受けたか否かを判断する。この判断の結果、折り畳み表示モードの指示を受けると、ステップＳ１６に移り、上記図２０に示すような１コマの連写折畳表示を行う。折り畳み表示モードの指示を受けなければ、ＣＰＵ３３は、ステップＳ１９に移る。
【００３４】
一方、液晶ディスプレイ１１の表示画面上の表示が例えば上記図２０に示すような１コマの連写折畳表示であれば、ＣＰＵ３３は、ステップＳ１４からステップＳ１７に移り、例えばワイド／テレボタン１又はモードダイアル１２が操作されることにより展開表示モードの指示を受けたか否かを判断する。この判断の結果、展開表示モードの指示を受けると、ステップＳ１８に移り、例えば図２０に示すように連写画像Ｄ５を展開して例えば７枚の画像Ｄ５−１〜Ｄ５−７を表示した連写インデックス表示を行う。
【００３５】
上記ステップＳ１３における判断の結果、連写画像でなければ、ＣＰＵ３３は、ステップＳ１９に移り、１コマずつのコマ送り又はコマ戻しの指示を受けたか否かを判断する。例えば、１コマずつのコマ送り又はコマ戻しの指示を受けると、ＣＰＵ３３は、ステップＳ２０に移り、１コマずつのコマ送り又はコマ戻しを行う。
【００３６】
次に、１コマずつのコマ送り又はコマ戻しの動作について図５に示す１コマ送り／戻しフローチャートに従って説明する。  
ＣＰＵ３３は、ステップＳ３０において、例えば右ボタン２０が操作されたか否かを判断する。この判断の結果、右ボタン２０が操作されると、ＣＰＵ３３は、ステップＳ３１に移り、右側に配置されている次の１コマの画像データを指定する。例えば、上記図２０に示すように連写画像Ｄ５を代表する１枚の代表画像データが１コマ表示されている状態に右ボタン２０が操作されると、ＣＰＵ３３は、連写画像Ｄ５の右側に配置されている連写画像Ｄ６を代表する１枚の代表画像データを液晶ディスプレイ１１の表示画面上に１コマ表示する。
【００３７】
次に、ＣＰＵ３３は、ステップＳ３２において、例えば左ボタン１９が操作されたか否かを判断する。この判断の結果、左ボタン１９が操作されると、ＣＰＵ３３は、ステップＳ３３に移り、左側に配置されている前の１コマの画像データを指定する。例えば、上記図２０に示すように連写画像Ｄ５を代表する１枚の代表画像データが１コマ表示されている状態に左ボタン１９が操作されると、ＣＰＵ３３は、連写画像Ｄ５の左側に配置されている画像Ｄ４を液晶ディスプレイ１１の表示画面上に１コマ表示する。
【００３８】
次に、ＣＰＵ３３は、ステップＳ３４において、例えば上ボタン１７が操作されたか否かを判断する。この判断の結果、上ボタン１７が操作されると、ＣＰＵ３３は、ステップＳ３５に移り、上側に配置されている先頭の１コマの画像データを指定する。例えば、上記図２０に示すように連写画像Ｄ５を代表する１枚の代表画像データが１コマ表示されている状態に上ボタン１７が操作されると、ＣＰＵ３３は、連写画像Ｄ５の上側に配置されている画像Ｄ２を液晶ディスプレイ１１の表示画面上に１コマ表示する。
【００３９】
次に、ＣＰＵ３３は、ステップＳ３４において、例えば下ボタン１８が操作されたか否かを判断する。この判断の結果、下ボタン１８が操作されると、ＣＰＵ３３は、ステップＳ３６に移り、下側に配置されている後端の１コマの画像データを指定する。例えば、上記図２０に示すように連写画像Ｄ５を代表する１枚の代表画像データが１コマ表示されている状態に下ボタン１８が操作されると、ＣＰＵ３３は、連写画像Ｄ５の下側に配置されている画像Ｄ８を液晶ディスプレイ１１の表示画面上に１コマ表示する。
【００４０】
次に、展開表示モードの指示を受けたとき（ステップＳ１８）の連写インデックス表示について図６に示す第１の連写展開表示フローチャートに従って説明する。  
画像サイズ調整部３３−２は、ステップＳ４０において、予め設定された判定用連写枚数、例えば５枚と連写画像の枚数とを比較する。連写画像の枚数は、例えば着脱メモリ３８又は内蔵メモリ４１に記憶されている複数の連写画像データを計数することにより求められる。
【００４１】
判定用連写枚数５枚と連写画像の枚数との比較の結果、連写画像の枚数が判定用連写枚数５枚以下であれば、画像サイズ調整部３３−２は、液晶ディスプレイ１１の表示画面上の分割数を「４」に決定し、この分割数「４」に応じた画像サイズで複数の連写画像データの各画像データを液晶ディスプレイ１１の表示画面上に４分割表示する。この場合、画像サイズ調整部３３−２は、複数の連写画像データの全てを同時に液晶ディスプレイ１１の表示画面上に表示する。
【００４２】
例えば、図９に示すように通常インデックス表示をしている状態に、例えば３枚の連写画像を有する連写画像データＤ３が選択されて展開ボタン５が操作されると、画像サイズ調整部３３−２は、連写画像データＤ３に含む連写画像の枚数３枚が判定用連写枚数５枚以下であるので、ステップＳ４１に移り、液晶ディスプレイ１１の表示画面上の分割数を「４」に決定し、この分割数「４」に応じた画像サイズで３つの連写画像Ｄ３−１〜Ｄ３−３を液晶ディスプレイ１１の表示画面上に連写インデックス表示する。すなわち、連写画像の枚数が判定用連写枚数５枚以下であれば、連写画像の枚数が１枚〜４枚のうちいずれの枚数であっても液晶ディスプレイ１１の表示画面上の分割数は「４」に決定される。これにより、連写画像の枚数が１枚〜４枚のうちいずれの枚数であれば、当該連写画像データの画像サイズは、いずれも分割数「４」に応じた画像サイズになる。
【００４３】
次に、連写画像の枚数が５枚以上であれば、画像サイズ調整部３３−２は、ステップＳ４２に移り、予め設定された判定用連写枚数、例えば１０枚と連写画像の枚数とを比較する。例えば、図１０に示すように通常インデックス表示をしている状態に、例えば７枚の連写画像を有する連写画像データＤ５が選択されて展開ボタン５が操作されると、画像サイズ調整部３３−２は、連写画像データＤ５に含む連写画像の枚数７枚が判定用連写枚数１０枚以下であるので、ステップＳ４３に移り、液晶ディスプレイ１１の表示画面上の分割数を「９」に決定し、この分割数「９」に応じた画像サイズで７つの連写画像Ｄ５−１〜Ｄ５−７を液晶ディスプレイ１１の表示画面上に連写インデックス表示する。すなわち、上記同様に、連写画像の枚数が判定用連写枚数１０枚以下であれば、連写画像の枚数が５枚〜１０枚のうちいずれの枚数であっても液晶ディスプレイ１１の表示画面上の分割数は「９」に決定される。これにより、連写画像の枚数が５枚〜１０枚のうちいずれの枚数であれば、当該連写画像データの画像サイズは、いずれも分割数「１０」に応じた画像サイズになる。
【００４４】
次に、連写画像の枚数が１０枚以上であれば、画像サイズ調整部３３−２は、ステップＳ４４に移り、予め設定された判定用連写枚数、例えば１７枚と連写画像の枚数とを比較する。例えば、図１１に示すように通常インデックス表示をしている状態に、例えば１６枚の連写画像を有する連写画像データＤ６が選択されて展開ボタン５が操作されると、画像サイズ調整部３３−２は、連写画像Ｄ６に含む連写画像の枚数１６枚が判定用連写枚数１７枚以下であるので、ステップＳ４５に移り、液晶ディスプレイ１１の表示画面上の分割数を「１６」に決定し、この分割数「１６」に応じた画像サイズで１６つの連写画像Ｄ６−１〜Ｄ６−１６を液晶ディスプレイ１１の表示画面上に連写インデックス表示する。
【００４５】
以下同様に、例えば、連写画像の枚数が９１枚以上であれば、画像サイズ調整部３３−２は、予め設定された判定用連写枚数、例えば１００枚と連写画像の枚数とを比較する。例えば、図１２に示すように通常インデックス表示をしている状態に、例えば９５枚の連写画像を有する連写画像Ｄ８が選択されて展開ボタン５が操作されると、画像サイズ調整部３３−２は、連写画像Ｄ８に含む連写画像の枚数９５枚が判定用連写枚数１００枚以下であるので、ステップＳ４６に移り、液晶ディスプレイ１１の表示画面上の分割数を「１００」に決定し、この分割数「１００」に応じた画像サイズで９５枚の連写画像Ｄ８−１〜Ｄ８−９５を液晶ディスプレイ１１の表示画面上に連写インデックス表示する。  
なお、上記第１の連写展開表示では、予め設定された判定用連写枚数、例えば５枚、１０枚、１７枚等に設定しているが、これに限らず、任意に設定変更可能である。
【００４６】
次に、画像サイズ調整部３３−２による液晶ディスプレイ１１の表示画面上の分割数の決定の他の方法について図７に示す第２の連写展開表示フローチャートに従って説明する。  
先ず、画像サイズ調整部３３−２は、ステップＳ５０において、連写画像の枚数Ｎ１を求める。  
次に、画像サイズ調整部３３−２は、ステップＳ５１において、上記式（１）に示すように複数の連写画像の枚数Ｎ１の平方根Ｎ２を算出する。  
次に、画像サイズ調整部３３−２は、ステップＳ５２において、平方根の値Ｎ２の小数の第１位を切り上げた値Ｎを求める。
【００４７】
次に、画像サイズ調整部３３−２は、ステップＳ５３において、平方根の値Ｎ２の小数の第１位を切り上げた値Ｎを液晶ディスプレイ１１の表示画面上の縦横方向の各分割数Ｎ×Ｎとし、当該液晶ディスプレイ１１の表示画面上をＮ×Ｎに分割表示する。  
例えば連写画像の枚数Ｎ１が「５」であれば、Ｎ１＝「５」の平方根の値Ｎ２は、約「２．２」である。平方根の値Ｎ２（＝２．２）の小数の第１位を切り上げると、その値Ｎは「３」となる。従って、液晶ディスプレイ１１の表示画面は、Ｎ×Ｎ（＝３×３）に分割表示される。
【００４８】
次に、画像サイズ調整部３３−２による液晶ディスプレイ１１の表示画面上の分割表示について図８に示す第３の連写展開表示フローチャートに従って説明する。  
例えば、図１３に示すように通常インデックス表示をしている状態に、例えば４枚の連写画像を有する連写画像Ｄ３が選択されて展開ボタン５が操作されると、画像サイズ調整部３３−２は、ステップＳ６０において、予め設定された判定用連写枚数、例えば７枚と連写画像の枚数４枚とを比較する。この比較の結果、連写画像の枚数４枚は判定用連写枚数７枚以下なので、画像サイズ調整部３３−２は、ステップＳ６１に移り、液晶ディスプレイ１１の表示画面上の分割数を「６」に決定し、この分割数「６」に応じた画像サイズで４つの連写画像Ｄ３−１〜Ｄ３−４を液晶ディスプレイ１１の表示画面上に連写インデックス表示する。すなわち、連写画像の枚数が判定用連写枚数７枚以下であれば、連写画像の枚数が１枚〜６枚のうちいずれの枚数であっても液晶ディスプレイ１１の表示画面上の分割数は「６」に決定される。これにより、連写画像の枚数が１枚〜６枚のうちいずれの枚数であれば、当該連写画像データの画像サイズは、いずれも分割数「６」に応じた画像サイズになる。
【００４９】
次に、連写画像の枚数が７枚以上であれば、画像サイズ調整部３３−２は、ステップＳ６２に移り、予め設定された判定用連写枚数、例えば１３枚と連写画像の枚数とを比較する。例えば、図１４に示すように通常インデックス表示をしている状態に、例えば７枚の連写画像を有する連写画像Ｄ５が選択されて展開ボタン５が操作されると、画像サイズ調整部３３−２は、連写画像Ｄ５に含む連写画像の枚数７枚が判定用連写枚数１３枚以下であるので、ステップＳ６３に移り、液晶ディスプレイ１１の表示画面上の分割数を「１２」に決定し、この分割数「１２」に応じた画像サイズで７つの連写画像Ｄ５−１〜Ｄ５−７を液晶ディスプレイ１１の表示画面上に連写インデックス表示する。すなわち、上記同様に、連写画像の枚数が判定用連写枚数１３枚以下であれば、連写画像の枚数が７枚〜１２枚のうちいずれの枚数であっても液晶ディスプレイ１１の表示画面上の分割数は「１２」に決定される。これにより、連写画像の枚数が７枚〜１２枚のうちいずれの枚数であれば、当該連写画像データの画像サイズは、いずれも分割数「１２」に応じた画像サイズになる。
【００５０】
次に、連写画像の枚数が１３枚以上であれば、画像サイズ調整部３３−２は、ステップＳ６４に移り、予め設定された判定用連写枚数、例えば２１枚と連写画像の枚数とを比較する。例えば、図１５に示すように通常インデックス表示をしている状態に、例えば１６枚の連写画像を有する連写画像Ｄ６が選択されて展開ボタン５が操作されると、画像サイズ調整部３３−２は、連写画像Ｄ６に含む連写画像の枚数１６枚が判定用連写枚数２１枚以下であるので、ステップＳ６５に移り、液晶ディスプレイ１１の表示画面上の分割数を「２０」に決定し、この分割数「２０」に応じた画像サイズで１６つの連写画像Ｄ６−１〜Ｄ６−１６を液晶ディスプレイ１１の表示画面上に連写インデックス表示する。
【００５１】
以下同様に、例えば、連写画像の枚数が２８枚であれば、画像サイズ調整部３３−２は、液晶ディスプレイ１１の表示画面上の分割数を「３０」に決定し、この分割数「３０」に応じた画像サイズで２８枚の連写画像Ｄ８−１〜Ｄ８−２８を液晶ディスプレイ１１の表示画面上に連写インデックス表示する。  
又、例えば、連写画像の枚数が９１枚以上であれば、画像サイズ調整部３３−２は、予め設定された判定用連写枚数、例えば１００枚と連写画像の枚数とを比較する。この比較の結果、例えば連写画像Ｄ８に含む連写画像の枚数が判定用連写枚数１００枚以下であれば、画像サイズ調整部３３−２は、液晶ディスプレイ１１の表示画面上の分割数を「１００」に決定し、この分割数「１００」に応じた画像サイズで９５枚の連写画像Ｄ８−１〜Ｄ８−９５を液晶ディスプレイ１１の表示画面上に連写インデックス表示する。  
なお、上記第３の連写展開表示では、予め設定された判定用連写枚数、例えば７枚、１３枚、２１枚等に設定しているが、これに限らず、任意に設定変更可能である。
【００５２】
ところで、連写画像の枚数が所定の数量、例えば１００枚以上であることもある。この場合、画像サイズ調整部３３−２は、例えば図１７に示すように１００枚の連写画像Ｄ９−１〜Ｄ９−１００を１ページ目に連写インデックス表示し、１００枚を超えた枚数分の連写画像データ、例えば７枚の連写画像Ｄ９−１００〜Ｄ９−１０７を２ページ目に連写インデックス表示する。この場合、画像サイズ調整部３３−２は、１００枚を超えた枚数分の連写画像データを同時に２ページ目に連写インデックス表示する。又、画像サイズ調整部３３−２は、１００枚を超えた枚数分の連写画像データの表示サイズを上記図６乃至図８に示す第１乃至第３の連写展開表示フローチャートのうちいずれか１つの連写展開表示フローチャートに従って決定する。
【００５３】
又、複数の連写画像データの枚数が所定の数量、例えば１００枚よりも多ければ、画像サイズ調整部３３−２は、液晶ディスプレイ１１の表示画面の縦横方向の各長さを所定の整数で除算した各長さと等しい表示サイズに連写画像データの各画像データの表示サイズを調整してもよい。
【００５４】
さらに、画像サイズ調整部３３−２は、展開表示モードにより複数の連写画像データを液晶ディスプレイ１１の表示画面上に一覧表示する際、液晶ディスプレイ１１の表示画面上の縦横方向の各連写画像の枚数を次のように設定してもよい。  
例えば、画像サイズ調整部３３−２は、展開表示モードにより複数の連写画像データを液晶ディスプレイ１１の表示画面上に一覧表示する際、液晶ディスプレイ１１の表示画面上の縦横方向にそれぞれ予め設定された最小の数量又は所定の数量ずつ複数の連写画像データを配列して表示する。
【００５５】
又、画像サイズ調整部３３−２は、展開表示モードにより複数の連写画像データを液晶ディスプレイ１１の表示画面上に一覧表示する際、液晶ディスプレイ１１の表示画面上の縦方向にＮ個、横方向にもＮ個ずつの複数個の複数の連写画像データを配列（Ｎ×Ｎ）して表示する。  
画像サイズ調整部３３−２は、展開表示モードにより複数の連写画像データを液晶ディスプレイ１１の表示画面上に一覧表示する際、液晶ディスプレイ１１の表示画面上の縦方向にＮ個、横方向に当該縦方向のＮ個よりも任意の数量Ｋだけ少ないＭ個の複数の連写画像データを配列（Ｎ×Ｍ）して表示する。  
画像サイズ調整部３３−２は、展開表示モードにより複数の連写画像データを液晶ディスプレイ１１の表示画面上に一覧表示する際、液晶ディスプレイ１１の表示画面上の縦方向にＮ個よりも任意の数量Ｋだけ少ないＭ個、横方向にＮ個の複数の連写画像データを配列（Ｍ×Ｎ）して表示する。
【００５６】
しかるに、液晶ディスプレイ１１の表示画面上における縦方向と横方向との各連写画像データの枚数を任意に可変設定することを可能とする。
【００５７】
このように上記一実施の形態によれば、展開表示モードに設定されて複数の連写画像データを個々の連写画像データ毎に展開して液晶ディスプレイ１１の表示画面上に一覧表示する際、複数の連写画像データの数量すなわち連写画像の枚数に応じて複数の連写画像データの各画像データの縦横方向の表示サイズを調整する。これにより、連写によって取得された複数の連写画像データの全てを液晶ディスプレイ１１の１つの表示画面上に連写インデックス表示することができる。従って、ユーザは、液晶ディスプレイ１１の１つの表示画面上に連写インデックス表示された複数の連写画像の中から所望の画像を容易に検索できる。
【００５８】
しかるに、連写は、１度に連続して複数の画像を撮影することにより決定的なシャッターチャンスを逃さずに捉えるといった使用が一般的であり、連写によって取得された複数の連写画像を閲覧するときには、一連の連写画像の中から決定的なシャッターチャンスの１枚の連写画像を選び出す操作を行うことが多くなる。本装置によれば、連写によって取得された複数の連写画像データの全てを液晶ディスプレイ１１の１つの表示画面上に連写インデックス表示できるので、一連の連写画像の中から決定的なシャッターチャンスの１枚の連写画像を選び出すというユーザの要望を実現できる。
【００５９】
複数の連写画像の枚数に応じて複数の連写画像データの表示サイズを調整するので、連写画像データの表示サイズを複数の連写画像の枚数に応じた最大の表示サイズに調整できる。従って、複数の連写画像の枚数に応じた最良の画像サイズで連写インデックス表示できる。  
なお、連写画像の枚数が所定の数量、例えば１００枚以上であると、例えば１００枚の連写画像Ｄ９−１〜Ｄ９−１００を１ページ目に連写インデックス表示し、１００枚を超えた枚数分の連写画像データを２ページ目に連写インデックス表示する。この場合、１００枚を超えた枚数分の連写画像データの表示サイズは、上記図６乃至図８に示す第１乃至第３の連写展開表示フローチャートのうちいずれか１つの連写展開表示フローチャートに従って決定する。従って、１ページ目、２ページ目の連写インデックス表示でも、連写画像データの表示サイズを複数の連写画像の枚数に応じた最大の表示サイズに調整できる。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６１】
【図１】本発明に係る画像表示装置を適用したデジタルカメラ等の撮像装置の一実施の形態を示す背面側の外観図。
【図２】同装置の機能ブロック図。
【図３】同装置におけるカメラ基本動作プログラムを示す図。
【図４】同装置における再生モードプログラムを示す図。
【図５】同装置における１コマ送り／戻しプログラムを示す図。
【図６】同装置における第１の連写展開表示プログラムを示す図。
【図７】同装置における第２の連写展開表示プログラムを示す図。
【図８】同装置における第３の連写展開表示プログラムを示す図。
【図９】同装置による３枚連写の連写インデックス表示を示す図。
【図１０】同装置による７枚連写の連写インデックス表示を示す図。
【図１１】同装置による１６枚連写の連写インデックス表示を示す図。
【図１２】同装置による９５枚連写の連写インデックス表示を示す図。
【図１３】同装置による４枚連写の連写インデックス表示を示す図。
【図１４】同装置による７枚連写の連写インデックス表示を示す図。
【図１５】同装置による１６枚連写の連写インデックス表示を示す図。
【図１６】同装置による２８枚連写の連写インデックス表示を示す図。
【図１７】同装置による複数ページに亘る連写インデックス表示を示す図。
【図１８】１コマ表示と通常のインデックス表示との切り替えを示す図。
【図１９】連写画像の１コマ表示と通常のインデックス表示と連写画像のインデックス表示との切り替えを示す図。
【図２０】連写画像の１コマ表示と通常インデックス表示と連写展開表示と連写インデックス表示との切り替えを示す図。
【符号の説明】
【００６２】
１：ワイド／テレボタン、５：展開ボタン、１０：カメラ本体、１１：液晶ディスプレイ、１２：モードダイアル、１３：メニューボタン、１４：ＤＩＳＰボタン、１５：消去ボタン、１６：クイック再生ボタン、１７：上ボタン、１８：下ボタン、１９：左ボタン、２０：右ボタン、２１：ＯＫボタン、２２：パワースイッチ（パワーＳＷ）、２３：レリーズスイッチ（レリーズＳＷ）、３０：レンズ系、３１：撮像素子、３２：撮像回路、３３：ＣＰＵ、３４：バス、３５：ＡＥ回路、３６：ＡＦ回路、３７：画像処理回路、３８：着脱メモリ、３９：操作端群、４０：表示駆動回路、４１：内蔵メモリ、４２：電池、４３：電源回路。
【図１】
2009296380.tif 000004
【図２】
2009296380.tif 000005
【図３】
2009296380.tif 000006
【図４】
2009296380.tif 000007
【図５】
2009296380.tif 000008
【図６】
2009296380.tif 000009
【図７】
2009296380.tif 000010
【図８】
2009296380.tif 000011
【図９】
2009296380.tif 000012
【図１０】
2009296380.tif 000013
【図１１】
2009296380.tif 000014
【図１２】
2009296380.tif 000015
【図１３】
2009296380.tif 000016
【図１４】
2009296380.tif 000017
【図１５】
2009296380.tif 000018
【図１６】
2009296380.tif 000019
【図１７】
2009296380.tif 000020
【図１８】
2009296380.tif 000021
【図１９】
2009296380.tif 000022
【図２０】
2009296380.tif 000023